(57)【要約】      （修正有）【課題】軽量で衝撃力吸収性の良好な段ボールの積層体を使用し嵌め込みの方向や組み立ての方向の選択を使用者の自由に任せ、様々な形態の造形物を創造可能にした多機能パネルを提供する。【解決手段】一対の表装部材２、３の互いに対向する面に通路１１、１２を形設するガイド部材６を設け、前記通路１１、１２に摺動部材７、８を摺動自在に装入し、前記摺動部材７、８の端部に設けた切欠７ａ、８ａを、別の表装部材側の摺動部材の切欠に対し嵌合可能にする。【選択図】図１
0003124626.tif 000002
【実用新案登録請求の範囲】
【請求項１】
平面状の板材を使用して形成される一対の表装部材と、
この一対の表装部材の互いに対向する面における上下端部および中央部に同方向に向けて貼着して通路を形設するガイド部材と、
前記通路と同幅に形成されて該通路に摺動自在に装入され、かつ前記通路から突出する部位に縦長の切欠を形設した摺動部材とからなり、
前記摺動部材の端部には、前記表装部材外への引き出し量を規制する係止突起が突設されるとともに、前記表装部材外へ引き出される部位に設けられた前記切欠が、別の表装部材から突出する摺動部材の切欠に嵌合可能に形成され、
この摺動部材が前記表装部材の内外に出し入れ自在に装填されることを特徴とする多機能パネル。
【請求項２】
前記板材が、波状に形成した紙の片面又は両面を貼り合せた段ボール、紙製の厚手シート、プラスチック製の軽量厚手シート、木材を削いで積層したベニヤ板およびコルク板のうちのいずれかであることを特徴とする請求項１に記載の多機能パネル。
【請求項３】
前記一対の表装部材の中央部には、一端に開放しかつ別の多機能パネルの摺動部材の切欠と嵌合可能な細長い嵌合切欠が前記摺動部材の摺動方向と同方向に形設され、かつ前記中央部のガイド部材の一部が前記嵌合切欠の根元部に露出されていることを特徴とする請求項１又は２に記載の多機能パネル。
【考案の詳細な説明】
【技術分野】
【０００１】
本考案は、軽量で、衝撃力吸収性の良好な段ボールの積層体を使用したもので、子供達の遊戯用の造形物の組み立て、教育用の簡易な机・椅子などの組み立て若しくは各種造形物の組み立て形成、或いは災害時の緊急に組み立て間仕切りを形成できる多機能パネルに関する。
【背景技術】
【０００２】
子供の創造性や学習能力を高めるために、従来から組み立てブロックと呼ばれる組み立て玩具が広く提供されている。この組み立てブロックは、例えばブロック体上面に複数の凸部を有し、この凸部に、別のブロック体上面に設けられた複数の凹部のいずれかに嵌め合わせることにより、各種の造形物、例えば家などの建物や動物組み付けて遊ぶというものであった（例えば、特許文献１参照）。
【特許文献１】特開平０６−０９１０６２号公報
【考案の開示】
【考案が解決しようとする課題】
【０００３】
しかしながら、このような組み立てブロックを使用する遊びにおいては、各ブロック体の凸部や凹部を嵌め込む向きや組み立ての方向が決まっていて、予め決められた完成造形物をイメージして組み立てを行うため、子供の創造力を養うという点では、必ずしも十分ではなかった。また、創造力を自由かつ十分に発揮できるものではないために、直ぐに遊びに飽きが来てしまうという問題があった。
【０００４】
また、磁石やマジックファスナを持つ組み立てブロックなども提案されているが、これらの幾つかは前記同様に組み立ての方向が決まっているために、子供の創造力を育むには不十分であった。
【０００５】
本考案は前記のような従来の問題を解決するものであり、嵌め込みの方向や組み立ての方向の選択を子供の自由に任せ、様々な形態の造形物を創造可能にし、子供達に物を作る楽しみを体験させることができる遊戯用或いは、机・椅子などの工作を実習する教育用として、また、緊急避難中におけるプライバシー確保用の簡易仕切りパネル等として簡単に組み付けることができる多機能パネルを提供することを目的とする。
【課題を解決するための手段】
【０００６】
前記目的達成のために、本考案にかかる多機能パネルは、平面状の板材を使用して形成される一対の表装部材と、この一対の表装部材の互いに対向する面における上下端部および中央部に同方向に向けて貼着して通路を形設するガイド部材と、前記通路と同幅に形成されて該通路に摺動自在に装入され、かつ前記通路から突出する部位に縦長の切欠を形設した摺動部材とからなり、前記摺動部材の端部には、前記表装部材外への引き出し量を規制する係止突起が突設されるとともに、前記表装部材外へ引き出される部位に設けられた前記切欠が、別の表装部材から突出する摺動部材の切欠に嵌合可能に形成され、この摺動部材が前記表装部材の内外に出し入れ自在に装填されることを特徴とする。
【０００７】
この構成により、多機能パネルを２枚以上用意し、これらの一方の表装部材間から１枚または２枚の摺動部材を引き出し、引き出した摺動部材上の前記切欠に対し、他方の多機能パネルを構成する表装部材間を摺動する摺動部材の切欠に噛み合わせるように嵌合することで、子供たちに、面的に広がる２次元の平面や３次元の空間を囲む造形物を、楽しみながら作らせることができる。この結果、子供たちの創造力を自然に養うことができる。
【０００８】
また、前記摺動部材は、２枚の表装部材間にあって脱落することなく、常に表装部材に組み合わされた状態で一体保持され、摺動部材の紛失を回避することができる。
さらに、各摺動部材どうしを嵌合することによって、複数枚の多機能パネルを２次元方向または３次元方向に連結し、予め形が決められていない種々の造形物を組み付けていくことができる。
【０００９】
また、本考案にかかる多機能パネルは、前記板材が、波状に形成した紙の片面又は両面を貼り合せた段ボール、紙製の厚手シート、プラスチック製の軽量厚手シート、木材を削いで積層したベニヤ板およびコルク板のうちのいずれかであることを特徴とする。
この構成により、前記多機能パネルに、軽量で、十分な緩衝機能と適度の剛性を持たせることができるため、様々な形態の箱、家屋、基地、机、棚、家具、動物などを構築するに当たって、人が入ったり、乗ったりしても容易に壊れることがなく、仮に壊れても負傷するなどの危険はない。
【００１０】
また、本考案にかかる多機能パネルは、前記一対の表装部材の中央部には、一端に開放しかつ別の多機能パネルの摺動部材の切欠と嵌合可能な細長い嵌合切欠が前記摺動部材の摺動方向と同方向に形設され、かつ前記中央部のガイド部材の一部が前記嵌合切欠の根元部に露出されていることを特徴とする。
この構成により、前記一方の多機能パネルの嵌合切欠に別の多機能パネルの摺動部材を嵌合させた際に、前記嵌合切欠の根元部に露出する前記中央部のガイド部材に、前記別の多機能パネルにおける摺動部材の嵌合切欠を噛み合わせることができ、前記両多機能パネルの連結をより確かなものにすることができる。
【考案の効果】
【００１１】
本考案は、一対の表装部材の互いに対向する面に通路を形設するガイド部材を設け、前記通路に摺動部材を摺動自在に装入し、前記摺動部材の端部に設けた切欠を、別の表装部材側における摺動部材の切欠に対し嵌合可能にしたことにより、子供たちに、面的に広がる２次元の平面や３次元の空間を囲む造形物を、楽しみながら作らせることができる。この結果、子供たちそれぞれの創造力を喚起することができる。
【考案を実施するための最良の形態】
【００１２】
以下、本考案の実施形態を、図面を参照しながら説明する。
本考案の実施形態による多機能パネルは、平面状の板材を使用して形成した一対の表装部材を有し、この一対の表装部材の互いに対向する面における上下端部および中央部に同方向に向けて貼着したガイド部材により通路を形設して、前記通路と同幅に形成された摺動部材を該通路に摺動自在にし、この摺動部材の前記通路から突出する部位に縦長の切欠を形設し、前記摺動部材の端部に、前記表装部材外への引き出し量を規制する係止突起を突設して、前記表装部材外へ引き出される部位に設けられた前記切欠を、別の表装部材から突出する摺動部材の切欠に嵌合可能にし、この摺動部材が前記表装部材の内外に出し入れ自在としたものである。
【００１３】
したがって、一方の多機能パネルを構成する２枚の表装部材間から、１枚または２枚の摺動部材を引き出し、引き出した摺動部材上の前記切欠に対し、別の多機能パネルの、２枚の表装部材間を出入する摺動部材の切欠に噛み合わせることで、面的に広がる２次元の平面や３次元の空間を囲む造形物を、子供たちに楽しみながら作らせることができる。この結果、子供たちの創造力を養うことができる。
【００１４】
次に、本考案にかかる多機能パネルの実施例を、図面を参照しながら詳しく説明する。図１は多機能パネルの全体を示す斜視図、図２は前記多機能パネル内から摺動部材を引き出した状態の斜視図、図３は前記多機能パネルの分解斜視図、図４は前記多機能パネルを構成する各部材の正面図、図５乃図７は前記多機能パネルの使用例を示す説明図である。
【００１５】
そして、前記多機能パネル１は、前後各一枚、つまり２枚の表装部材２、３と、ガイド部材４、５、６と、摺動部材７、８と、ストッパ部材９、１０とを備えている。これらの２枚の表装部材２、３と、ガイド部材４、５、６と、摺動部材７、８と、ストッパ部材９、１０は、いずれも通常の段ボール３枚を一体に張り合わせて１枚にしたトライウオールなどと呼ばれる、丈夫で衝撃吸収力の高い強化段ボールを素材として形成されている。この強化段ボールは、例えば２ｃｍの厚みを持ち、容易に潰れたり、折れたりしない強度を持つ。
【００１６】
前記２枚の表装部材２、３は、外形が四角形でサイズが等しく、各一の隅部に同形、同サイズの透孔２ａ、３ａが設けられ、これらは互いに対向している。これらの透孔２a、３aは、図示のような円形以外に、三角形以上の多角形やハート形など任意の形状とすることができる。
【００１７】
また、前記２枚の表装部材２、３の中央部には、その表装部材２、３の一端（各図では左端）に開放する長い嵌合切欠２ｂ、３ｂが設けられ、これらは互いに対向している。これらの嵌合切欠２ｂ、３ｂは直線状をなし、その切欠幅は後述の摺動部材の厚みより僅かに大きい寸法となっている。
【００１８】
前記ガイド部材４は、横長バー状をなし、図４（ｂ）に示すように、表装部材３内面の左上部に接着剤により貼着されている。ガイド部材５もガイド部材４と同様に横長バー状になし、表装部材３内面の右下部に貼着されている。なお、これらのガイド部材４、５は、各表装部材３の幅の略半分の長さを持ち、これらの各内端は、後述の摺動部材の位置規制用係止部４a、５aとして用いられる。
【００１９】
ガイド部材６は、多機能パネル１における上下方向の中央部に水平に貼着されており、各表装部材３の横幅に等しい長さを持つ。このガイド部材６は板状をなし、一端（左端）に開放する嵌合切欠６ａを有する。この嵌合切欠６ａは表装部材２、３に設けられた嵌合切欠２ｂ、３ｂよりも短目に形成されている。なお、上下部のガイド部材４、５と中央部のガイド部材６との間は、後述の摺動部材の通路１１、１２とされている。
【００２０】
前記摺動部材７は、全体として長方形の板状体をなし、前半部（左半部）には上方に開放する縦長の切欠７aが設けられ、右端上縁には係止突起７ｂが突設されている。なお、この摺動部材７の長さは、表装部材２、３の横幅に対し、僅か（後述のストッパ部材の幅分）短目であり、上下幅はガイド部材４、６の間隔よりも僅か小さ目とされている。これにより、摺動部材７は、ガイド部材４、６間を前記通路１１として、後述のように摺動可能となっている。
【００２１】
一方、摺動部材８は、全体として長方形の板状体をなし、後半部（右半部）には上部に開放する縦長の切欠８aが設けられ、左端下縁には係止突起８ｂが突設されている。この場合においても、摺動部材８の長さは、表装部材２、３の横幅に対し、僅か（後述のストッパ部材の幅分）短目であり、上下幅はガイド部材５、６の間隔よりも僅か小さ目とされている。これにより、摺動部材８がガイド部材５、６間を前記通路１２として、後述のように摺動可能となっている。
【００２２】
前記ストッパ部材９は、表装部材３内面における右上部の隅部に、接着剤によって貼着されており、一方、ストッパ部材１０は、表装部材３内面の左下部の隅部に接着剤によって貼着されている。なお、これらのストッパ部材９、１０は、強化段ボールに代えて、円柱状や角柱状の木材とすることもできる。なお、図４（a）では円柱状の木材としてある。
【００２３】
次に、前記多機能パネル１の組み付け手順を、一例を挙げて説明する。
まず、図４（ｂ）に示すように、表装部材３の片面（内面）にガイド部材４〜６を接着材を用いて貼着する。また、表装部材３の右上および左下の各隅部にストッパ部材９、１０を貼着する。
【００２４】
次に、ガイド部材４、６間の表装部材３に重なるように、図４（ｃ）に示す摺動部材７を当接する。同様にして、ガイド部材５、６間の表装部材３に重なるように、図４（ｄ）に示す摺動部材８を当接する。
【００２５】
次に、前記ガイド部材４〜６およびストッパ部材９、１０の表面に接着剤を塗布し、この接着剤を介してガイド部材４〜６およびストッパ部材９、１０に、図４（a）に示す表装部材２を貼り付ける。これにより、摺動部材７、８は２枚の表装部材２、３間に、水平移動（摺動）可能に収納され、多機能パネル１が完成する。
【００２６】
このとき、各摺動部材７、８の係止突起７ｂ、８ｂは、上部のガイド部材４およびストッパ部材９間と下部のガイド部材５およびストッパ１０間にあって、それぞれこれらの間隙Ｇを移動領域として、摺動部材の移動量を規制している。つまり、各摺動部材７、８は、図３および図４の鎖線で示すように、それぞれの係止突起７ｂ、８ｂがガイド部材４，５の各位置規制用係止部４a、５aに当接した位置で、それぞれ各表装部材２、３外への移動量（突出量）が規制される。なお、前記間隙Ｇは、寸法上、摺動部材７、８の先端部を嵌合できる長さおよび幅を持つ。
【００２７】
また、ストッパ部材９、１０は、各摺動部材７、８の前記突出方向とは逆方向への移動を規制し、表装部材２、３外への摺動、脱落を規制している。
【００２８】
図１は、前記多機能パネル１において、摺動部材７、８が表装部材２、３間に収納された状態であり、図２は、外部操作による前記移動領域内での移動によって、摺動部材７、８の一部が表装部材２、３の外部へ引き出された（突出した）状態を示している。
【００２９】
次に、各種造形物を組み付ける場合の、前記多機能パネル１の基本的な使用例について説明する。
図５（a）は、前記多機能パネル１と同様の２枚の多機能パネル１Ａ、１Ｂを用意して、多機能パネル１Ａ側の表装部材２、３に設けられた嵌合切欠２ｂ、３ｂと、ガイド部材６に設けられた前記嵌合切欠６ａとに、多機能パネル１Ｂから引き出した摺動部材３の切欠８a周辺部を嵌め込んだ状態を示す。
【００３０】
この状態から、前記切欠８aをさらに嵌合切欠２ｂ、３ｂ内に露出するガイド部材６の一部（左端部）６ｂに圧入する。これにより、２枚の多機能パネル１Ａ、１Ｂは図５（ｂ）に示すようにＴ字形に連結される。
【００３１】
図６（a）は、２枚の多機能パネル１Ａ、１Ｂを用意し、多機能パネル１Ａから摺動部材８を引き出し、多機能パネル１Ｂから摺動部材７を引き出した状態を示す。この状態からそれぞれ引き出した摺動部材８の切欠８aに、摺動部材７の切欠７ａを噛み合わせるように圧入する。これにより、２枚の多機能パネル１Ａ、１Ｂは図６（ｂ）に示すようにＬ字形に連結される。
【００３２】
図７（a）は、４枚の多機能パネル１Ａ、１Ｂ、１Ｃ、１Ｄを用意し、多機能パネル１Ａから引き出した摺動部材８の先端部を、多機能パネル１Ｂの前記間隙Ｇに挿し込み、多機能パネル１Ｂから引き出した摺動部材７の先端部を多機能パネル１Ｃの前記間隙Ｇに挿し込み、多機能パネル１Ｃから引き出した摺動部材７の先端を多機能パネル１Ｄの間隙Ｇに挿し込み、多機能パネル１Ｄから引き出した摺動部材７の先端を多機能パネル１Ａの前記間隙Ｇに差し込んだ状態を示す。
【００３３】
そして、この状態から前記差し込んだ各摺動部材７、８の先端部を各間隙Ｇ内に、さらに深く圧入することによって、図７（ｂ）に示すように、４枚の多機能パネル１Ａ〜１Ｄが面的に広がる板状体が形成される。なお、図５〜図７において、各多機能パネル１Ａ〜１Ｄから引き出された他の摺動部材７、８に対しては、必要に応じて前記のような挿し込み方法によって、別に用意された他の多機能パネルを組み付けることができる。
【００３４】
これにより、様々な形態の箱、家屋、基地、机、棚、家具、動物、シートなど、人が入ったり、乗ったりしても用意に壊れることがない、丈夫で、遊戯または学習に適する造形物を構築することができる。
【００３５】
また、前記構成の多機能パネルにおいて、前記２枚の表装部材２、３の互いに対向する部位に透孔２ａ、３ａを設けたことにより、各透孔２ａ、３ａを摺動部材７の前記出入操作によって閉じたり開いたりすることができる。
【００３６】
また、前記摺動部材７の表面に、着色を施しておくことにより、摺動部材の操作によって前記透孔を閉じたときには、透孔を通して色彩を看取でき、多機能パネル全体のデザイン性を向上することができる。
【００３７】
なお、前記では、摺動部材７、８に透孔２ａ、３ａを設けたものを示したが、これらの透孔２ａ、３ａを省いた摺動部材７、８を使用しても、図８に示すような多機能パネルを構成できる。
【００３８】
このように、本実施形態にあっては、段ボール製の２枚の表装部材２、3を、これらの表装部材２、３の上下部および中央部に配置された段ボール製のガイド部材４、５、６を介して相互に貼り合わせ、前記上下部の各ガイド部材４、５および中央部のガイド部材６間のそれぞれに、切欠７ａ、８ａを持った段ボール製の摺動部材７、８を、前記２枚の表装部材２、３間の内外に出入自在に収納し、前記摺動部材７、８には、前記上下部のガイド部材４、５の一部に係止して、前記２枚の表装部材２、３外への引き出し量を規制する係止突起７ｂ、８ｂを一体に設け、前記表装部材２、３外へ引き出される部位に設けられた前記切欠２ｂ、３ｂを、別の多機能パネルの、２枚の表装部材２、３間を摺動する別の摺動部材７、８の切欠７ａ、８ａに嵌合可能にしたことにより、多機能パネルを２枚以上用意し、これらに一方の２枚の表装部材２、３から１枚または２枚の摺動部材７、８を引き出し、引き出した摺動部材７、８上の前記切欠７ａ、８ａに対し、別の多機能パネルを構成する表装部材２、３間を摺動する摺動部材の切欠に噛み合わせるように嵌合することで、面的に広がる２次元の平面や３次元の空間を囲む造形物を、子供たちに楽しみながら作らせることができる。この結果、子供たちの創造力を自然に養うことができる。
【産業上の利用可能性】
【００３９】
本考案は、嵌め込みの方向や組み立ての方向の選択を子供の自由に任せ、様々な形態の造形物を創造可能にし、子供達に物を作る楽しみを体験させることができるという効果を有し、子供達が遊戯用の造形物を組み立てて遊ぶことができる多機能パネル等に有用である。
【図面の簡単な説明】
【００４０】
【図１】本考案の実施形態による多機能パネルを示す斜視図である。
【図２】図１に示す多機能パネルから摺動部材を引き出した状態の斜視図である。
【図３】図１に示す多機能パネルの分解斜視図である。
【図４】図１に示す多機能パネルの構成部材を示す正面図である。
【図５】図１に示す多機能パネルの使用状態図である。
【図６】図１に示す多機能パネルの他の使用状態図である。
【図７】図１に示す多機能パネルのさらに他の使用状態図である。
【図８】本考案の実施形態による他の多機能パネルを示す斜視図である。
【符号の説明】
【００４１】
１…多機能パネル、２，３…表装部材、２ｂ，３ｂ…嵌合切欠、４，５，６…ガイド部材、６a…嵌合切欠、７，８…摺動部材、７a，８a…切欠、７ｂ，８ｂ…係止突起、９，１０…ストッパ部材、１１，１２…通路
【図１】
0003124626.tif 000003
【図２】
0003124626.tif 000004
【図３】
0003124626.tif 000005
【図４】
0003124626.tif 000006
【図５】
0003124626.tif 000007
【図６】
0003124626.tif 000008
【図７】
0003124626.tif 000009
【図８】
0003124626.tif 000010